(57)【要約】  【課題】  排気ガスの収集が容易で、しかも、収集した排気ガスの運搬のための準備に手間がかからないガス収納容器を提供する。  【解決手段】  ガス収納容器１では、ダンボール箱３を外袋４で覆って、外袋４とガス収納袋２の間の吸引空間の空気を抜くとガス収納袋２が膨らみ、第１ゴムホース５を介して排気ガスがガス収納袋２の内部空間に引き込まれる。また、このガス収納容器１は、ガス収納袋２が排気ガス充填前に梱包されているので、排気ガスを収集したら、そのまま運搬することができる。従って、ガス収納容器１を用いると、ガス収納袋２の他には、塩化ビニル製の収集箱に比べてはるかに軽い梱包材３と外袋４とがあれば、排気ガスを収集できるので、排気ガスの収集作業が場所や条件に関係なく、排気ガスの収集を容易に行うことができる。また、このガス収納容器１を用いると、排気ガスが充填される前にガス収納袋２を梱包しているので、収集した排気ガスを運搬するための準備に手間がかからない。【選択図】  図１
0003121511.tif 000002
【実用新案登録請求の範囲】
【請求項１】
外袋４で覆って用いるガス収集容器１であって、
気密性のガス収納袋２と、
このガス収納袋２を梱包する梱包材３と、
前記ガス収納袋２の内部空間と、前記外袋よりも外側の外部空間とを連通可能な長さに形成された第１連通管５と、
を備えることを特徴とするガス収集容器１。
【請求項２】
請求項１に記載のガス収集容器１において、
前記梱包材３は、紙製梱包材であることを特徴とするガス収集容器１。
【請求項３】
請求項２記載のガス収集容器１において、
前記紙製梱包材は、ダンボール紙であることを特徴とするガス収集容器１。
【請求項４】
請求項１〜３の何れかに記載のガス収集容器１において、
前記梱包材３は、箱型に形成されていることを特徴とするガス収集容器１。
【請求項５】
請求項１〜４の何れかに記載のガス収集容器１において、
前記外袋４と、
この外袋４及び前記ガス収納袋２の間の空間と、前記外袋４の外部空間とを連通する第２連通管６と
を備えることを特徴とするガス収集容器１。
【請求項６】
請求項５記載のガス収集容器１において、
前記第２連通管６は、前記外袋４及び前記ガス収納袋２の間の空間のうち前記外袋４及び前記梱包材３の間の空間と、前記外袋４の外部空間とを連通することを特徴とするガス収集容器１。
【請求項７】
請求項５〜６の何れかに記載のガス収集容器１において、
前記外袋４は、
ガスが充填された前記ガス収納袋２であって、このガス収納袋２を梱包している前記梱包材３を出し入れ可能な大きさに形成された出入口部４０と、
前記外袋４の内部空間が密封された状態となるよう前記出入口部４０を閉止可能な開閉手段４２と
を備えることを特徴とするガス収集容器１。
【考案の詳細な説明】
【技術分野】
【０００１】
本考案は、収集したガスを容器に詰めて搬送するためのガス収集容器に関する。
【背景技術】
【０００２】
従来より、塗装工場などで排出される排出ガスは、排気ガス中の有機溶剤濃度等の測定のため、ポリエステル製の気密性のあるガス収納袋に詰められ、このガス収納袋に詰められた状態で測定所等に運搬されている。このうち、排気ガスをガス収納袋に詰める作業は、まずガス収納袋を塩化ビニル製の収集箱内に入れ、収集箱内の空気を引き込んでガス収納袋を膨らませ、このガス収納袋が膨らんだときに発生する吸引力で、排出ガスをガス収納袋内に吸い込む方法で行われている（非特許文献１）。そして、この排気ガスを収納したガス収納袋は、収集箱から取り出されて梱包され、測定所に運搬されている。
【非特許文献１】ジーエルサイエンス株式会社刊、平成１６年９月発行、総合カタログＰ６１
【考案の開示】
【考案が解決しようとする課題】
【０００３】
しかし、従来の排気ガスの収集方法で用いている塩化ビニル製の収集箱は、重さが１０ｋｇ以上あって人が取り扱うには重く、作業者にとって取り扱いが難いため、従来の排気ガスの収集方法では、排気ガスの収集作業が場所や条件によっては大変困難な作業となることがあるという問題があった。
【０００４】
また、従来の排気ガスの収集方法では、排気ガスの運搬の際、排気ガスが充填されたガス収納袋を梱包する必要があるが、この梱包作業は、ダンボール箱にガス収納袋を強く押し込むなど手間がかかる作業となるため、排気ガスの運搬の準備に手間がかかるという問題があった。
【０００５】
そこで本考案では、上述した問題点を解決し、排気ガスの収集が容易で、しかも、収集した排気ガスの運搬のための準備に手間がかからないガス収納容器を提供することを目的とする。
【課題を解決するための手段】
【０００６】
上述した問題を解決するためになされた考案である請求項１記載のガス収納容器は、外袋で覆って用いるガス収集容器であって、気密性のガス収納袋と、このガス収納袋を梱包する梱包材と、前記ガス収納袋の内部空間と前記外袋よりも外側の外部空間とを連通可能な長さに形成された第１連通管と、を備えることを特徴とする。
【０００７】
この考案のガス収納容器では、梱包材を外袋で覆って、外袋とガス収納袋の間の空間（以下「吸引空間」という）の空気を抜くとガス収納袋が膨らみ、第１連通管を介して外部の気体がガス収納袋の内部空間に引き込まれる。そのため、第１連通管の先を排気ガス中に配置し、吸引空間の空気を抜けば、ガス収納袋内に排気ガスが収集される。また、この考案のガス収納容器では、ガス収納袋が排気ガス充填前に梱包されているので、排気ガスを収集したら、このガス収納容器はそのまま運搬することができる。
【０００８】
従って、この考案のガス収納容器を用いると、ガス収納袋の他には、塩化ビニル製の収集箱に比べてはるかに軽い梱包材と外袋とがあれば、排気ガスを収集できるので、排気ガスの収集作業が場所や条件に関係なく、排気ガスの収集を容易に行うことができる。また、この考案のガス収納容器を用いると、排気ガスが充填される前にガス収納袋を梱包しているので、収集した排気ガスを運搬するための準備に手間がかからない。
【０００９】
尚、請求項２に記載したように、梱包材は、重量が軽い点で紙製梱包材であることが好ましく、請求項３に記載したように、紙製梱包材は、運搬の破損を考慮すると他の紙製梱包材よりも丈夫なダンボール紙であることが好ましい。また梱包材は箱型でなくともよいが、請求項４に記載したように、運搬の容易性から、梱包材は箱型に形成されていることが好ましい。
【００１０】
次に、請求項５に記載したようにガス収納容器は、外袋と、この外袋及びガス収納袋の間の空間と外袋の外部空間とを連通する第２連通管とを備えてもよい。この外袋と、第２連通管とを備えたガス収納容器を用いると、第２連通管を用いることで吸収空間の空気を簡単な作業で抜くことができる。
【００１１】
尚、請求項６に記載したように、第２連通管は、外袋及びガス収納袋の間の空間のうち外袋及び梱包材の間の空間と外袋の外部空間とを連通するものであることが好ましい。このように構成すれば、梱包材を外袋で包むだけで第２連通管を用いて吸収空間の空気を抜くことができる。
【００１２】
また、請求項７に記載したように、外袋は、ガスが充填されたガス収納袋であって、このガス収納袋を梱包している梱包材を出し入れ可能な大きさに形成された出入口部と、外袋の内部空間が密封された状態となるよう出入口部を閉止可能な開閉手段とを備えることが好ましい。このガス収納袋を用いれば、同じ外袋を用いて、包装紙で包装されたいくつものガス収納袋に排気ガスを繰り返し充填することができる。
【考案を実施するための最良の形態】
【００１３】
以下、本考案を実施するための最良の形態について図面を用いて説明する。
図１は、本実施形態のガス収納袋の斜視図である。
本実施形態のガス収納袋１は、図１に示すように、ガス収納袋２と、ダンボール箱３と、外袋４と、第１ゴムホース５と、第２ゴムホース６とを備えている。
【００１４】
ガス収納袋２は、ポリエチレン製の気密性を有する袋である。
ダンボール箱３（梱包材に相等する）は、排気ガスが充填されたガス収納袋２を収納可能な大きさに形成された直方体形状の箱型の包装材で箱型に形成されたものである。
【００１５】
外袋４は、ポリエチレン製の気密性を有する袋で、ダンボール箱３を覆うことができる大きさに形成されている。またこの外袋４は、排気ガスが充填されたガス収納袋２であって、このガス収納袋２を梱包しているダンボール箱３を出し入れ可能な大きさに形成された開口部である出入口部４０が形成され、この出入口部４０の内周には、外袋４が密封された状態となるよう出入口部４０を閉止可能な開閉具４２が形成されている。この開閉具４２は、出入口部４０をあわせて外側から出入口部４０を押さえると、開閉具４２が係合して閉じ、出入口部４０の外側端部を引っ張ると開閉具４２の係合が解けて出入口部４０が開く構造となっている。また、この外袋４は、外袋４の密閉状態が損なわれないように第１ゴムホース５を通す通孔４４が設けられている。
【００１６】
第１ゴムホース５（第１連通管に相等する）は、ガス収納袋２の内部空間と外部空間とを連通する管で、ガス収納袋２に固定されている。
第２ゴムホース６（第２連通管に相等する）は、外袋４の内部空間と外部空間とを連通する管で、外袋４に固定されている。
【００１７】
次に、ガス収集容器１の組立て方について説明する。
まず、ガス収納袋２をダンボール箱３の中に収納し、ダンボール箱３から第１ゴムホース５を外部に出しておく。次にこのダンボール箱３を外袋４の中に収納すると共に、第１ゴムホース５を通孔４４を通して外部空間に出す。すると、第１ゴムホース５は、ガス収納袋２の内部空間と外袋４の外部空間とを連通する。このとき、第２ゴムホースは、外袋４及びダンボール箱３の間の空間と、外袋４の外部空間とを連通する。そして、外袋４の出入口部４０を閉じて密閉する。
【００１８】
次に、組み立てられたガス収集容器１の使用方法について説明する。
まず、第１ゴムホース５の外部空間側の先端を排気ガスが存在する空間に配置する。そしてその状態で第２ゴムホースから外袋４内の空気を吸引する。すると、外袋４とガス収納袋２との間の空気が吸引され、ガス収納袋２が膨張し、ガス吸引袋２が第１ゴムホース５を介して排気ガスを吸引する。そして、ガス収納袋２内に排気ガスが充填されたら第２ゴムホースを介した吸引を止め、外部空間側の第１ゴムホース５をクリップで止める。そして、外袋４の出入口部４０を開き、外袋４内で第１ゴムホース５をクリップで止め、外部空間側の第１ゴムホース５を止めているクリップを外す。そして、第１ゴムホース５を外袋４の通孔４４から抜くとともに、ダンボール箱３を外袋４から取り出して、このダンボール箱３ごとガス収納袋２を運搬する。
【００１９】
以上説明したガス収集容器１を用いると以下のような効果がある。
この考案のガス収納容器では、ダンボール箱３を外袋４で覆って、外袋４とガス収納袋２の間の空間（以下「吸引空間」という）の空気を抜くとガス収納袋２が膨らみ、第１ゴムホース５を介して外部の気体がガス収納袋２の内部空間に引き込まれる。そのため、第１ゴムホース５の先を排気ガス中に配置し、吸引空間の空気を抜けば、ガス収納袋２内に排気ガスが収集される。また、この考案のガス収納容器１では、ガス収納袋２が排気ガス充填前に梱包されているので、排気ガスを収集したら、このガス収納容器１はそのまま運搬することができる。
【００２０】
従って、この考案のガス収納容器１を用いると、ガス収納袋２の他には、塩化ビニル製の収集箱に比べてはるかに軽い梱包材３と外袋４とがあれば、排気ガスを収集できるので、排気ガスの収集作業が場所や条件に関係なく、排気ガスの収集を容易に行うことができる。また、この考案のガス収納容器１を用いると、排気ガスが充填される前にガス収納袋２を梱包しているので、収集した排気ガスを運搬するための準備に手間がかからない。
【００２１】
次に、ガス収納容器１は、外袋４と、この外袋４及びガス収納袋２の間の空間と外袋４の外部空間とを連通する第２ゴムホース６を備えており、この外袋４と、第２ゴムホース６とを備えたガス収納容器１を用いると、第２ゴムホース６を用いることで吸収空間の空気を簡単な作業で抜くことができる。また、本実施形態では、第２ゴムホース６は、外袋４及びガス収納袋２の間の空間のうち外袋４及びダンボール箱３の間の空間と外袋４の外部空間とを連通するものであるので、ダンボール箱３を外袋４で包むだけで第２ゴムホース６を用いて吸収空間の空気を抜くことができる。
【００２２】
また、外袋４が、ダンボール箱３を出し入れ可能な大きさに形成された出入口部４０と、外袋４が密封された状態となるよう出入口部を閉止可能な開閉具４２とを備えているので、本実施形態のガス収納容器１では、同じ外袋４を用いて、包装紙３で包装されたいくつものガス収納袋２に排気ガスを繰り返し充填する作業を行うことができる。
【００２３】
尚、以上本考案の一実施形態ついて説明したが、本考案はこの実施形態に何等限定されるものではなく、本考案の要旨を逸脱しない範囲において、種々なる態様で実施し得ることは勿論である。
【００２４】
例えば、上記実施形態では、ダンボール箱を用いたものについて説明したが、梱包材であれば軽量性が保たれるので、ダンボール箱に限るものではない。また、梱包材は、紙製のものでなくてもよい。また梱包材は箱型でなくともよいが、運搬の容易性から、梱包材は箱型に形成されていることが好ましい。
【図面の簡単な説明】
【００２５】
【図１】本実施形態のガス収納袋の斜視図である。
【符号の説明】
【００２６】
１…ガス収納容器、２…ガス収納袋、３…ダンボール箱、４…外袋、５…第１ゴムホース、６…第２ゴムホース、４０…出入口部、４２…開閉具、４４…通孔
【図１】
0003121511.tif 000003